(57)【要約】【課題】  省スペース化を促進して小型化を図った絞り装置を提供する。【解決手段】  レンズ開口４を備えた基板３と、小絞り用穴６３、７３を備えると共に前記レンズ開口を閉鎖する位置で該レンズ開口の一部を残して遮蔽するように外形が形成された小絞り用セクタ６０，７０と、該小絞り用セクタで遮蔽できない前記レンズ開口の一部を遮蔽する遮蔽補助セクタ８０，９０とを備えた絞り装置１であって、前記小絞り用セクタと前記遮蔽補助セクタとが同軸６１，７１で揺動自在に軸支されている。本絞り装置１によると、遮蔽補助セクタ８０，９０用の支軸を別に設ける必要がないのでレンズ開口４周部の構成を簡素化して、装置の小型化を図ることができる。【選択図】    図１
2005195817.tif 000002
【特許請求の範囲】
【請求項１】
レンズ開口を備えた基板と、小絞り用穴を備えると共に前記レンズ開口を閉鎖する位置で該レンズ開口の一部を残して遮蔽するように外形が形成された小絞り用セクタと、該小絞り用セクタで遮蔽できない前記レンズ開口の一部を遮蔽する遮蔽補助セクタとを備えた絞り装置であって、
前記小絞り用セクタと前記遮蔽補助セクタとが同軸で揺動自在に軸支されている絞り装置。
【請求項２】
前記小絞り用セクタと前記遮蔽補助セクタとの組を２組備えており、第１小絞り用セクタ及び第１遮蔽補助セクタは第１支軸で軸支され、第２小絞り用セクタ及び第２遮蔽補助セクタは第２支軸で軸支されており、
前記第１小絞り用セクタ及び第１遮蔽補助セクタが前記レンズ開口を協働して遮蔽するときには第１段絞り状態が形成され、
前記第２小絞り用セクタ及び第２遮蔽補助セクタが前記レンズ開口を協働して遮蔽するときには第２段絞り状態が形成される請求項１に記載の絞り装置。
【請求項３】
前記遮蔽補助セクタは、組みを成している小絞り用セクタに形成された前記小絞り用穴よりも大きな穴を有している、請求項１又は２に記載の絞り装置。
【請求項４】
組みを成している前記小絞り用セクタ及び前記遮蔽補助セクタは、前記レンズ開口を遮蔽する位置に来たときに互いに協働して前記レンズ開口を遮蔽できるように、幅広部分と幅狭部分とが逆に位置した外形を有している請求項１又は２に記載の絞り装置。
【請求項５】
前記小絞り用セクタ及び前記遮蔽補助セクタの夫々にはカム溝が形成されており、前記カム溝に係合する駆動ピンを備え、
前記駆動ピンの移動に伴って、組みを成している前記小絞り用セクタ及び前記遮蔽補助セクタが、前記レンズ開口を遮蔽する位置及びレンズ開口から退避する位置へ同時に揺動する請求項１乃至４のいずれかに記載の絞り装置。
【請求項６】
請求項１乃至５のいずれかに記載の絞り装置を含む光学機器装置。
【発明の詳細な説明】
【技術分野】
【０００１】
本発明は光学機器用の絞り装置に関する。より詳細にはデジタルカメラやビデオカメラ等の光学機器に好適に使用できる絞り装置に関する。
【背景技術】
【０００２】
カメラに内蔵される絞り装置については、従来から多くの提案がされている。駆動リングを用いて多数の絞り羽根を駆動して５段階以上の多段絞りを実現する絞り装置や、小絞り穴を有する絞り羽根でレンズ開口を遮蔽して所定の小絞りを実現する絞り装置等がよく知られている。駆動リングを用いる絞り装置は一般に構造が複雑で大型化するため、高級機種のカメラに採用されている。しかし、近年、低価格のカメラやデジタルカメラが広く普及するようになっている。そこで、絞りを２〜４段階程度に限定し、簡素な構造でより小型化した絞り装置への要請が大きくなっている。
【０００３】
絞りの段階を少なく限定して小型化を図った絞り装置は、例えば特許文献１に開示されている。この特許文献１の絞り装置は、小絞り穴を備えた小絞り羽根と、この小絞り羽根と協働してレンズ開口を遮蔽する補助羽根とを備えている。大きな小絞り羽根を使用するとレンズ開口周部のスペースが大きくなり、その結果として装置が大型化してしまう。そこで、この絞り装置は面積を小さくした小絞り羽根を採用している。ところが、このように小絞り羽根を小型化すると、単独ではレンズ開口を遮蔽できなくなる。そこで、遮蔽補助のための補助羽根を付加している。すなわち、特許文献１の絞り装置は小絞り羽根及び補助羽根が協働してレンズ開口を遮蔽するようにして装置の小型化を図っている。
【０００４】
上記のような絞り装置であれば、基板に設けた大きな開口（レンズ開口）と小径の小絞り開口とに容易に切り換えることができ、また小絞り羽根を従前よりも小さくしてレンズ開口周辺の省スペース化を図るので装置を小型化できる。
【０００５】
【特許文献１】特開２００１−２１５５５３号  公報
【発明の開示】
【発明が解決しようとする課題】
【０００６】
しかしながら特許文献１に開示する絞り装置では、小絞り羽根の支軸と補助羽根の支軸とが別々に配置されている。このように複数の支軸をレンズ開口の周部に配置すると、一定スペースを確保することが必要となる。また、この絞り装置では先ず作動部材を駆動して小絞り羽根を揺動し、この小絞り羽根の揺動動作を利用して更に補助羽根を揺動するという連動機構を採用している。よって、このような連動機構を実現するためにも一定スペースを確保する必要がある。よって、特許文献１に開示する絞り装置の場合も無駄なスペースが存在するという問題がある。
【０００７】
そこで、本発明の目的は、上記課題を解決し、省スペース化を促進して小型化を図った絞り装置を提供することである。
【課題を解決するための手段】
【０００８】
上記目的は、レンズ開口を備えた基板と、小絞り用穴を備えると共に前記レンズ開口を閉鎖する位置で該レンズ開口の一部を残して遮蔽するように外形が形成された小絞り用セクタと、該小絞り用セクタで遮蔽できない前記レンズ開口の一部を遮蔽する遮蔽補助セクタとを備えた絞り装置であって、前記小絞り用セクタと前記遮蔽補助セクタとが同軸で揺動自在に軸支されている絞り装置によって達成できる。
【０００９】
本発明によると、小絞り用セクタの遮蔽補助を行う遮蔽補助セクタは、小絞り用セクタと同軸で軸支される。よって、遮蔽補助セクタ用の支軸を別に設ける必要がないのでレンズ開口周部の構成を簡素化して、装置の小型化を図ることができる。
【００１０】
前記小絞り用セクタと前記遮蔽補助セクタとの組を２組備えており、第１小絞り用セクタ及び第１遮蔽補助セクタは第１支軸で軸支され、第２小絞り用セクタ及び第２遮蔽補助セクタは第２支軸で軸支されており、前記第１小絞り用セクタ及び第１遮蔽補助セクタが前記レンズ開口を協働して遮蔽するときには第１段絞り状態が形成され、前記第２小絞り用セクタ及び第２遮蔽補助セクタが前記レンズ開口を協働して遮蔽するときには第２段絞り状態が形成される絞り装置を形成してもよい。この場合には、小絞り用セクタを２個備えるので、省スペースを図りながら二段階の小絞りを実現する絞り装置を提供できる。
【００１１】
前記遮蔽補助セクタは、組みを成している小絞り用セクタに形成された前記小絞り用穴よりも大きな穴を有している構造が好ましい。このような構造を採用すると、小絞り用セクタがレンズ開口を遮蔽する位置に来て小絞りとなるときに遮蔽補助セクタが絞りの障害とならない。また、組みを成している前記小絞り用セクタ及び前記遮蔽補助セクタは、前記レンズ開口を遮蔽する位置に来たときに互いに協働して前記レンズ開口を遮蔽できるように、幅広部分と幅狭部分とが逆に位置した外形を有した構造を採用できる。
【００１２】
また、前記小絞り用セクタ及び前記遮蔽補助セクタの夫々にはカム溝が形成されており、前記カム溝に係合する駆動ピンを備え、前記駆動ピンの移動に伴って、組みを成している前記小絞り用セクタ及び前記遮蔽補助セクタが、前記レンズ開口を遮蔽する位置及びレンズ開口から退避する位置へ同時に揺動する絞り装置とすることができる。この場合には１個の駆動ピンによって全てのセクタを揺動する絞り装置となるので、更に小型を図ることができる。前述した絞り装置を含む光学機器装置は、小型で精度良く絞り用セクタが移動されるので鮮明な画像を撮影できる。
【発明の効果】
【００１３】
以上説明したように、本発明によると小絞り用セクタ及び遮蔽補助セクタを備える絞り装置を小型化できる。
【発明を実施するための最良の形態】
【００１４】
以下、図面に基づいて一実施形態に係る絞り装置を説明する。以下で示す実施例は、小絞り用セクタ（小絞り羽根）と遮蔽を補助する遮蔽補助セクタ（補助羽根）との組を２組備えて二段階の小絞りを実現する絞り装置である。
【実施例】
【００１５】
図１は実施例に係る絞り装置が全開状態にあるときの様子を示した図である。図２は、図１の絞り装置１に含まれる２枚の小絞り用セクタ及びこれらの遮蔽を補助する２枚の遮蔽補助セクタを取り出して示した図である。図３は絞り装置１が一段絞りの状態にあるときの様子を示した図である。図４は絞り装置１が二段絞りの状態にあるときの様子を示した図である。さらに図５は、図１の絞り装置が備える基板とアクチュエータとの配置関係が確認できるように示した側面図である。
【００１６】
図１に示すように本絞り装置１は、レンズ開口４の左右に本来の小絞り用のセクタ６０、７０を２枚備えている。第１セクタ６０は、大きめの小絞り穴６３を備えた第１小絞り羽根である。第２セクタ７０は、第１セクタの小絞り穴６３よりも小さな小絞り穴７３を備えた第２小絞り羽根である。そして、第１セクタ６０と協働してレンズ開口の遮蔽を行う第１遮蔽補助セクタ８０、第２セクタ７０と協働してレンズ開口の遮蔽を行う第２遮蔽補助セクタ９０が更に配置されている。この図１では、各セクタを確認し易いように、第１セクタ６０及び第２セクタ７０に関する部分を実線で示している。また、第１遮蔽補助セクタ８０を長い破線で、第２遮蔽補助セクタ９０を破線で示している。
【００１７】
基板３の中央には、レンズ開口４が形成されている。このレンズ開口４を第１セクタ６０及び第１遮蔽補助セクタ８０が協働して遮蔽すると、第１セクタ６０には小絞り穴６３が形成されているので第１段の小絞り状態（一段絞り状態）が形成される（図３参照）。また、第２セクタ７０及び第２遮蔽補助セクタ９０が協働して遮蔽すると、第２セクタ７０には異なる直径の小絞り穴７３が形成されているので第２段の小絞り状態（二段絞り状態）が形成される（図４参照）。
【００１８】
上記第１セクタ６０は支軸（揺動軸）６１を中心に揺動自在に構成され、長穴状に形成したカム溝６２を備えている。上記第２セクタ７０も同様に、支軸７１を中心に揺動自在に構成されカム溝７２を備えている。カム溝６２、７２には、ステップモータ７（図５参照）によって、円弧状の軌跡を描いて揺動する駆動ピン５が係合している。すなわち、１つの駆動ピン５が２個のカム溝６２、７２を貫通し、この駆動ピン５の移動に２枚のセクタ６０、７０が所定位置に移動されるように構成されている。更に、第１セクタ６０の遮蔽を補助する第１遮蔽補助セクタ８０はカム溝６２に近似する形状のカム溝を備えている。同様に第２セクタ７０の遮蔽を補助する第２遮蔽補助セクタ９０はカム溝７２に近似する形状のカム溝を備えている。組みを成すセクタは同時に揺動するように構成されている。各セクタに形成されたカム溝については後述する。
【００１９】
図２は、図１に示した各セクタ６０〜９０を確認し易いように取り出して示した図であり、（Ａ）は第１セクタ６０、（Ｂ）は第１遮蔽補助セクタ８０、（Ｃ）は第２セクタ７０、（Ｄ）は第２遮蔽補助セクタ９０を示している。（Ａ）で示す第１セクタ６０に注目すると、符号６５で示す部分の幅が狭く形成されている。これとは逆に符号６６で示す反対部分の幅は広く形成されている。このようにレンズ開口４側の幅（面積）を小さく形成すると、セクタ６０をレンズ開口４へ近付けて配置できるので装置全体を小型化できる。
【００２０】
しかし、図３（一段絞り）で示すように第１セクタ６０が小さくなった為に、レンズ開口４をを閉鎖する位置で完全に遮蔽できず未遮光の領域ＰＡが発生する。この領域ＰＡの遮蔽を行なうために配置されているのが、図２（Ｂ）の第１遮蔽補助セクタ８０である。よって、第１遮蔽補助セクタ８０は領域ＰＡを遮蔽するための部分（符号８５で示す部分）は幅広に形成されるているが、符号８６で示す反対位置は幅狭となっている。このように第１セクタ６０と第１遮蔽補助セクタ８０は、互いに協働してレンズ開口４を遮蔽できるように幅広部分と幅狭部分とが逆に位置した外形となっている。
【００２１】
第２セクタ７０と第２遮蔽補助セクタ９０との２番目の組についても、上記で説明したと１番目の組と同様の関係がある。第２セクタ７０は符号７５で示す部分の幅が狭く形成され、その反対位置は幅広に形成されている。この第２セクタ７０の場合は、図４（二段絞り）で示すようにレンズ開口４を遮蔽できない領域ＰＢが発生する。しかし、この部分の遮蔽を行なうために図２（Ｄ）の第２遮蔽補助セクタ９０を備えるので１番目の組と同様にレンズ開口４を確実に遮蔽できる。
【００２２】
第１遮蔽補助セクタ８０は穴８３を備えている。この穴８３は、第１セクタ６０の小絞り用穴６３より大きく形成されている。この２つのセクタ６０，８０は、図３に示すように協働してレンズ開口４を遮蔽するで、第１セクタ６０の小絞り用穴６３に干渉しないように、穴８３の方が大きく形成されている。この関係は、第２セクタ７０と第２遮蔽補助セクタ９０とについても同様であり、第２遮蔽補助セクタ９０の穴９３は第２セクタ７０の小絞り用穴７３より大きく形成されている。
【００２３】
次に各セクタを駆動させるための構成について説明する。図２（Ａ）では、図１に示した全開状態の時の駆動ピン５の位置を初期位置（５−１）として示している。そして、図３に示す一段絞り時の駆動ピン５の位置を位置（５−２）で示し、さらに図４に示す二段絞り時の駆動ピン５の位置を位置（５−３）で示している。本絞り装置１では、駆動ピン５の初期位置（５−１）を間にして、反時計方向へ回動したときに一段絞りの状態が形成され、逆に時計方向へ回動したときには二段絞りの状態が形成される。
【００２４】
第１セクタ６０及び第２セクタ７０の各々に形成されているカム溝６２、７２は、お互いに一方のセクタがレンズ開口４を遮蔽するときには、他方のセクタがレンズ開口４から退避した位置に留まるように形成されている。そして、第１遮蔽補助セクタ８０のカム溝８２は、第１セクタ６０のカム溝６２に近似している。同様に第２遮蔽補助セクタ９０のカム溝９２は、第２セクタ７０のカム溝７２に近似している。組を成すセクタ同士は、同じ様な軌跡を描いて、レンズ開口４を遮蔽する位置及びレンズ開口４から退避した位置の間を揺動する。但し、補助セクタ側のカム溝８２、９２は、長穴状ではなく一端が開放した形状となっている。
【００２５】
各セクタに形成したカム溝について説明する。本絞り装置１に含む各セクタ６０〜９０は、レンズ開口４へと誘導し、また、自身が絞りに関与しないときには退避位置に留まるように形成したカム溝６２、７２、８２、９２を有している。なお、ここでの退避位置とは各セクタ６０〜９０がレンズ開口４を塞がないように退避した位置である。図１に示す全開状態では、４枚のセクタ６０〜９０が共に退避位置にある。図３で示す一段絞りの状態では、第１組のセクタ６０、８０がレンズ開口を遮蔽する位置にあり、第２組のセクタ７０、９０レンズ開口４から退避した位置にある。また、図４の二段絞りの状態は、一段絞りの状態と逆になる。
【００２６】
第１セクタ６０及び第２セクタ７０に形成されているカム溝６２、７２について、図２と共に図３及び図４も参照して説明する。図２に示すように、第１セクタ６０に形成されたカム溝６２は、駆動ピン５が初期位置（５−１）から位置（５−２）へ移動するときにセクタ６０をレンズ開口４へと誘導する揺動領域αと、これとは逆に駆動ピン５が初期位置（５−１）から位置（５−３）へ移動して第２セクタ７０をレンズ開口４へ誘導するときにセクタ６０を前記退避位置に保持す非揺動領域βとを含んでいる。
【００２７】
図２（Ａ）に示している第１セクタ６０は、図１の全開状態での姿勢であり、この状態から駆動ピン５が位置（５−２）へと移動すると図３の一段絞り状態となる。このときの第１セクタ６０に着目すると、カム溝６２内を駆動ピン５が揺動領域α側へ移動し、その端部に至ると当接して支軸６１を中心に時計回りに回動されている。これに対して、第２セクタ７０は図１と図３とで姿勢が変化していない。
【００２８】
上記のように第１セクタ６０が揺動するのは駆動ピン５が初期位置（５−１）から位置（５−２）に移動したときである。ところが、図２（Ｃ）の第２セクタ７０のカム溝７２は、この部分に非揺動領域βが形成されている。この非揺動領域βは、駆動ピン５の軌跡に沿った円弧形状に形成されている。よって、駆動ピン５が初期位置（５−１）から位置（５−２）へ移動しても、第２セクタ７０は駆動ピン５から移動させるような力（負荷）を受けない。すなわち、第２セクタ７０は同じ位置に保持される。よって、図３に示す一段絞りのときには、第１セクタ６０のみがレンズ開口４を遮蔽する位置に移動され、第２セクタ７０は退避位置に保持されるという状態が形成される。
【００２９】
第１セクタ６０のカム溝６２と第２セクタ７０のカム溝７２とは、ほぼ線対称の形状に形成されている。よって、図４に示す二段絞りの状態となったときには、上記とちょうど逆の関係が形成される。すなわち、駆動ピン５が初期位置（５−１）から位置（５−３）へ移動すると、図４に示すように第２セクタ７０は支軸７１を中心に回転してレンズ開口４を遮蔽する。一方、駆動ピン５が初期位置（５−１）から位置（５−３）へ移動しても、第１セクタ６０は駆動ピン５から移動させるような力（負荷）を受けない。よって、図４に示す二段絞りのときには、図３に示した一段絞りの場合とは逆に、第２セクタ７０のみがレンズ開口４を遮蔽する位置に移動され第１セクタ６０は退避位置に保持されることになる。なお、図３に示す一段絞りの状態及び図４に示す二段絞りの状態を形成した後は、駆動ピン５を逆向きに駆動することで図１に示した全開状態に戻すことができる。
【００３０】
理解を容易とするため、上記では第１セクタ６０及び第２セクタ７０のカム溝について説明したが、第１遮蔽補助セクタ８０のカム溝８２は第１セクタ６０のカム溝６２と近似した形状を備えている。よって、第１遮蔽補助セクタ８０は駆動ピン５の移動に伴って、第１セクタ６０に近い軌跡を描いて同時に揺動される。第２セクタ７０を補助する第２遮蔽補助セクタ９０についても同様である。
【００３１】
以上のように、実施例の絞り装置１では、一方の組のセクタがレンズ開口４を遮蔽すると、他方の組のセクタが遮蔽位置に保持される。特に、図１の全開状態、図３の一段絞り状態、図４の二段絞り状態及び図３、図４から図１の状態の復帰動作は、各セクタに形成したカム溝によって実現されている。本絞り装置１では、セクタを初期位置へ復帰させるための復帰バネや停止位置を規定する度位置決め部材を必要としない。よって、本絞り装置１は構成を簡素化してセクタを揺動できる。
【００３２】
そして、本装置１は省スペース化を図って４枚のセクタを揺動させる新規な構成を備えている。この点について説明する。図１及び図２に示すように、第１遮蔽補助セクタ８０は、第１セクタ６０の支軸６１を兼用して同軸で揺動自在に構成されている。同様に、第２遮蔽補助セクタ９０は、第２セクタ７０の支軸７１を兼用して同軸で揺動自在に構成されている。このような構造を採用すると、遮蔽補助セクタを揺動するための支軸を設ける必要がないので省スペース化できる。また、この構造では遮蔽補助セクタの揺動領域の大部分が、小絞り用セクタの揺動領域と重なるようになる。そのため遮蔽補助セクタ用のスペースをレンズ開口４周部に確保する必要が無くなる。よって、本装置１では従来のように補助セクタ用の支軸や揺動スペースを別に設ける必要がなくなるので構成を簡素化して小型化できる。
【００３３】
さらに、図５を参照して、上記絞り装置１のセクタ６０〜９０を駆動する構成を簡単に説明する。図５は、図１の絞り装置１が備える基板３とモータ７との配置関係を示した側面図である。ステップモータ７は、ロータ７０２、この外周にＵ字型のステータ７０３を備えている。このステータ７０３には２個のコイル７０４、７０５が巻回されている。これらのコイル７０４、７０５は図示しない制御回路により駆動制御されている。
【００３４】
基板３は、上記のようにレンズ開口４を備えているがこの図５では示されていない。基板３の前面側には前記した４枚のセクタ６０〜９０が基板面に沿うように配置されている。これらのセクタは、基板３側から第１セクタ６０、第１遮蔽補助セクタ８０、第２セクタ７０、第２遮蔽補助セクタ９０である。基板３の背面側には上記ステップモータ７が配置されている。また、セクタの前面側には押え板２が配置されている。
【００３５】
第１セクタ６０は基板３に設けた支軸６１に係合する穴、及びステップモータ７のロータ軸７０７に接続された駆動ピン５に係合する前記カム溝６２を備えている。第１遮蔽補助セクタ８０は支軸６１に係合する穴及びステップモータ７のロータ軸７０７に接続された駆動ピン５に係合する前記カム溝８２を備えている。前述したように、第１セクタ６０と第１遮蔽補助セクタ８０とは同じ支軸６１で軸支されて揺動される。
【００３６】
同様に、第２セクタ７０は基板３に設けた支軸７１に嵌合する穴、及び上記駆動ピン５に係合する前記カム溝７２を備えている。第２遮蔽補助セクタ９０は支軸７１に係合する穴及びステップモータ７のロータ軸７０７に接続された駆動ピン５に係合する前記カム溝８２を備えている。よって、第２セクタ７０と第２遮蔽補助セクタ９０も同じ支軸７１で軸支されて揺動される。
【００３７】
基板３の背面側に配置しているステップモータ７のロータ軸７０７には、半径方向に延出したアーム部８が接続されている。このアーム部８の端部からは基板３側に設けた扇形状の開口６（図１参照）を通り反対側まで延在した駆動ピン５が接続されている。前面側に出たこの駆動ピン５に、セクタ６０〜９０のそれぞれに設けたカム溝６２、７２，８２、９２（図２参照）が係合している。よって、ステップモータ７のロータ軸７０７が回動したときには、駆動ピン５がこれに伴って移動し、さらに４枚のセクタ６０〜９０が所定の軌跡で揺動して、前述した図１（全閉）、図３（一段絞り）及び図４（二段絞り）の状態を形成できる。このように、本装置１では、４枚のセクタが１個の駆動ピン５のみで揺動できる。よって、このような構成によっても装置構成が簡素化され小型化が促進されている。
【００３８】
以上説明したように、絞り装置１は小絞り用セクタ６０、７０を小さく形成しているので、装置の小型化を促進できる。特に、未遮蔽部分の遮蔽を行なう遮蔽補助セクタ８０、９０は、小絞り用セクタ６０、７０の支軸軸６１、７１を兼用して揺動する。よって、構成を簡素化して装置の小型化を図ることができる。また、本装置１は各セクタに形成したカム溝に１つの駆動ピン５を係合して駆動を行う点でも小型化を促進でき、復帰ピンや度決め部材を用いることなく確実に全開、一段絞り、二段絞りの状態を形成できる。
【００３９】
さらに、各セクタ６０〜９０を退避位置により確実に保持するためのより好ましい改善例について説明する。上記のように各セクタ６０〜９０は、それぞれのカム溝６２、７２、８２、９２によって、レンズ開口４へ誘導され、また退避位置に保持できる。より確実に各セクタを退避位置に保持するための構成として支軸７１、６１を利用することができる。
【００４０】
図１に示すように第１セクタ６０及び第１遮蔽補助セクタ８０がレンズ開口４から退避した状態となったときに、ちょうど第２セクタ７０の支軸７１に当接するように第１セクタ６０及び第１遮蔽補助セクタ８０の端部が整形されている。同様に、第２セクタ７０及び第２遮蔽補助セクタ９０についてもレンズ開口４から退避した状態となったときに第１セクタ６０の支軸６１に当接するように端部が整形されている。この改善例では一方のセクタの支軸が、他方のセクタの補助的な度位置決め部材として兼用される。よって、部品点数を増加させることなく各セクタ６０〜９０を所定位置へ確実に停止させる構造を実現できる。
【００４１】
以上、本発明の好ましい一実施形態について詳述したが、本発明は係る特定の実施形態に限定されるものではなく、特許請求の範囲に記載された本発明の要旨の範囲内において、種々の変形・変更が可能である。上記実施例では、第１セクタ及び第１遮蔽補助セクタによる第１の組、及び第２セクタ及び第２遮蔽補助セクタによる第２の組を配置して、二段階の小絞りを形成できるより好ましい例を説明している。しかし、本発明はこのような実施形態に限定するものではない。小絞り用セクタとこれを補助する遮蔽補助セクタを１組とし、これらを同軸で揺動することで全開と一段の小絞りを行う絞り装置としもよい。
【図面の簡単な説明】
【００４２】
【図１】実施例に係る絞り装置が全開状態にあるときの様子を示した図である。
【図２】図１の絞り装置に含まれる２枚の小絞り用セクタ及びこれらを補助する２枚の遮蔽補助セクタを取り出して示した図である。
【図３】絞り装置が一段絞りの状態にあるときの様子を示した図である。
【図４】絞り装置が二段絞りの状態にあるときの様子を示した図である。
【図５】図１の絞り装置が備える基板とモータとの配置関係を示した側面図である。
【符号の説明】
【００４３】
１                絞り装置
３                基板
４                レンズ開口
５                駆動ピン
６０              第１セクタ
６１              支軸
６２              カム溝
６３              小絞り穴
７０              第２セクタ
７１              支軸
７２              カム溝
７３              小絞り穴
８０              第１遮蔽補助セクタ
９０              第２遮蔽補助セクタ
α                揺動領域
β                非揺動領域
【図１】
2005195817.tif 000003
【図２】
2005195817.tif 000004
【図３】
2005195817.tif 000005
【図４】
2005195817.tif 000006
【図５】
2005195817.tif 000007